(57)【要約】【課題】石鹸を用いて脱毛する際に抜き残した毛が泡で分かり難くなるのを防止すること防ぐことができ、これにより泡を拭き取る手間が省かれ、使い勝手を良くすること。【解決手段】手で把持するための把持部を有する防水構造の本体ケーシング４１に、毛を引き抜くための脱毛手段を有する脱毛ヘッド１Ｈが取り付けられ、石鹸を使用して脱毛を行なえるようにした脱毛装置において、脱毛手段を囲んでいるヘッドフレーム５に、脱毛後の肌面に付着した泡を拭き取るためのワイパー２を設けた。【選択図】図１
2007260172.tif 000002
【特許請求の範囲】
【請求項１】
手で把持するための把持部を有する防水構造の本体ケーシングに、毛を引き抜くための脱毛手段を有する脱毛ヘッドが取り付けられ、石鹸を使用して脱毛を行なえるようにした脱毛装置において、上記脱毛手段を囲んでいるヘッドフレームに、脱毛後の肌面に付着した泡を拭き取るためのワイパーを設けたことを特徴とする脱毛装置。
【請求項２】
上記ワイパーは、脱毛ヘッドを肌面に当てた状態で肌面と略平行に延びるプレート形状であることを特徴とする請求項１記載の脱毛装置。
【請求項３】
上記ワイパーは、肌面に対して略垂直方向に変形自在であることを特徴とする請求項１記載の脱毛装置。
【請求項４】
上記ワイパーは、肌面に対してフロート自在であることを特徴とする請求項１記載の脱毛装置。
【請求項５】
上記ワイパーは、本体ケーシングの前面側若しくは背面側のどちらか一方に設けられていることを特徴とする請求項１記載の脱毛装置。
【請求項６】
上記ワイパー及びヘッドフレームを本体ケーシングに対して着脱自在としたことを特徴とする請求項１記載の脱毛装置。
【請求項７】
上記ワイパーは、ヘッドフレームに対して着脱自在であることを特徴とする請求項１又は６記載の脱毛装置。
【請求項８】
上記ワイパーは、ヘッドフレームに対して肌面と略垂直な方向に高さ調整可能であることを特徴とする請求項１記載の脱毛装置。
【請求項９】
上記ワイパーはエラストマーからなることを特徴とする請求項１乃至請求項８のいずれかに記載の脱毛装置。
【発明の詳細な説明】
【技術分野】
【０００１】
本発明は、石鹸を使用して脱毛を行なえるようにした脱毛装置に関するものである。
【背景技術】
【０００２】
従来より、駆動源を内蔵した本体ケーシングに脱毛ユニットが装着され、脱毛ユニットに上記駆動源により回転する回転シリンダーと、回転シリンダーの回転により開閉駆動して毛を掴んで引き抜くための複数の脱毛爪とを有する脱毛ヘッドを設けた脱毛装置が知られている（例えば、特許文献１参照）。
【０００３】
ところで、脱毛にあたって肌面と回転シリンダーとの間の摩擦を下げるために、石鹸を使って脱毛する場合があり、この場合、石鹸を使用することで肌面に対して安全な脱毛行為ができるが、本体ケーシングを防水構造にする必要がある。上記特許文献１に見られる従来では、本体ケーシング内の駆動源から回転シリンダーに駆動伝達するための駆動伝達手段の途中に防水部材を設けて、駆動源と回転シリンダーとの間を防水構造としている。
【０００４】
しかしながら、石鹸を使用して脱毛する場合、回転シリンダーの回転により石鹸の泡が広がり、脱毛後の肌面が泡で隠されてしまい、抜き残しの毛があるかどうかが分かりにくくなり、そのたびに使用者自らが泡を拭き取るのに手間がかかり、使い勝手を悪くするという問題があった。
【特許文献１】特開２００１−１４９１３５号公報
【発明の開示】
【発明が解決しようとする課題】
【０００５】
本発明は上記の従来の問題点に鑑みて発明したものであって、石鹸を用いて脱毛する際に抜き残した毛が脱毛後の肌面に付着した泡で分かり難くなるのを防ぐことができ、泡を拭き取る手間が省かれ、使い勝手を良くした脱毛装置を提供することを課題とするものである。
【課題を解決するための手段】
【０００６】
前記課題を解決するために本発明は、手で把持するための把持部を有する防水構造の本体ケーシング４１に、毛を引き抜くための脱毛手段を有する脱毛ヘッド１Ｈが取り付けられ、石鹸を使用して脱毛を行なえるようにした脱毛装置において、上記脱毛手段を囲んでいるヘッドフレーム５に、脱毛後の肌面に付着した泡を拭き取るためのワイパー２を設けたことを特徴としている。
このような構成とすることで、石鹸を使って脱毛する際に、脱毛ヘッド１Ｈを動かすと脱毛手段に追随してワイパー２が一緒に動くため、脱毛の際に石鹸の泡が広がっても、脱毛後の肌面に付着した泡がワイパー２によって拭き取られていくので、脱毛領域の肌面が泡で隠されることがなくなり、抜き残した毛が一目で分かるようになる。
また、上記ワイパー２は、脱毛ヘッド１Ｈを肌面に当てた状態で肌面と略平行に延びるプレート形状であるのが好ましく、この場合、プレート形状のワイパー２によって脱毛領域の泡を漏れなく拭き取ることができるので、抜き残した毛がより一層分かりやすくなり、使い勝手がさらに良くなる。
また、上記ワイパー２は、肌面に対して略垂直方向に変形自在であるのが好ましく、この場合、肌面の凹凸に対してもワイパー２の追従性が良くなり、肌面のどの部分においても泡を確実に拭き取ることができる。
また、上記ワイパー２は、肌面に対してフロート自在であるのが好ましく、この場合、フロート自在なワイパー２によって刺激をなくすことができると共に、骨部のような凸部に対してもワイパー２の追従性を良くすることができる。
また、上記ワイパー２は、本体ケーシング４１の前面側Ｆ若しくは背面側Ｄのどちらかに設けられているのが好ましく、この場合、本体ケーシング４１の前面と背面とを指で掴みながら脱毛ヘッド１Ｈを移動させる際に、ワイパー２が設けられている本体ケーシング４１の前面側Ｆ（或いは背面側Ｄ）を脱毛ヘッド１Ｈの後側に配置することで、脱毛ヘッド１Ｈで脱毛した後の肌面に付着している泡をワイパー２で確実に拭き取ることができるようになる。
また、上記ワイパー２及びヘッドフレーム５を本体ケーシング４１に対して着脱自在とするのが好ましく、この場合、ワイパー２をヘッドフレーム５と共に本体ケーシング４１から取り外すことで、ワイパー２やヘッドフレーム５に付着した毛屑、或いは、脱毛ヘッド１Ｈ内に入り込んだ毛屑をそれぞれ簡単に取り除くことができ、掃除を簡単に行なうことができる。
また、上記ワイパー２は、ヘッドフレーム５に対して着脱自在であるのが好ましく、この場合、石鹸を使用しない乾燥状態でのドライ脱毛を行なう場合に、ワイパー２をヘッドフレーム５から取り外すことができるので、石鹸を使用する脱毛からドライ脱毛への切り替えが容易となり、使い勝手が良くなる。またワイパー２が劣化したときの交換作業も容易に行なうことができる。
【０００７】
また、上記ワイパー２は、ヘッドフレーム５に対して肌面と略垂直な方向に高さ調整可能であるのが好ましく、この場合、肌面と略垂直な方向に向けてワイパー２の高さを切り替えることができるので、石鹸を使用する場合はワイパー２を上げて肌面に当たる位置に保持する。このときワイパー２の上下調整によってワイパー２の肌面への押し付け荷重が容易に調整でき、刺激をより少なくできるだけでなく、ワイパー２の肌面への適度な押し付け荷重によって、ワイパー２で肌面を伸ばしながら脱毛することができる。一方、石鹸を使用しないで使用するときには、ワイパー２を下げて肌面に当たらない位置に保持できるので、乾燥状態での脱毛にも容易に対応できるようになる。
また、上記ワイパー２はエラストマーからなるのが好ましく、この場合、エラストマー製のワイパー２によって刺激をなくして肌面を傷めてしまうのを防止できると共に、骨部のような凸部に対してもワイパー２の追従性を十分に良くすることができる。
【発明の効果】
【０００８】
本発明は、脱毛手段を囲んでいるヘッドフレームに、脱毛後の肌面に付着した泡を拭き取るためのワイパーを設けたことにより、石鹸を用いて脱毛する際に脱毛後の肌面に付着した泡がワイパーによって取り除かれていくので、石鹸を用いて安全且つスムーズな脱毛行為ができるものでありながら、抜き残した毛が分かりやすくなり、泡を拭き取る手間が省かれて使い勝手がきわめて良い脱毛装置を得ることができる。
【発明を実施するための最良の形態】
【０００９】
以下、本発明を添付図面に示す実施形態に基いて説明する。
【００１０】
本実施形態の脱毛装置は、美容などの目的のために体毛を除去するのに使用されるものであり、図１、図２に示すように、手で持つことができるような把持部を有すると共にモータ４２を内蔵した本体ケーシング４１上に、脱毛ヘッド１Ｈを備えた脱毛ユニットを着脱自在に設けたもので、脱毛ヘッド１Ｈは、回転シリンダー４と、回転シリンダー４により開閉して毛を挟持する複数の脱毛爪（例えば、可動爪と固定爪）で構成した脱毛手段とを備えており、回転シリンダー４の軸回り回転に伴って脱毛爪が毛を挟持して引き抜くものとなっている。なお回転シリンダー４の回転により脱毛爪を開閉駆動する構造は、例えば特開２００１−１４９１３５号公報などにより公知となっている技術を採用することができるので、詳細な説明は省略する。
防水構造の本体ケーシング４１は、図２に示すように、前後に２つ割りした半割ケーシングを合着して構成してあり、本体ケーシング４１は上端が開口したもので、モータ４２や駆動伝達手段である歯車列を内蔵した基台４３が本体ケーシング４１内に内装してあり、さらに、本体ケーシング４１内にモータ４２を駆動するための乾電池又は充電器４４を内装してある。上記基台４３の上端部４３ａは本体ケーシング４１の上端開口を塞いでおり、この基台４３の上面部にフック取付け部４５が設けてあり、脱毛ユニット１の下面部に設けた一対のフック１９をフック取付け部４５に着脱自在に取付けることで本体ケーシング４１に対して脱毛ユニット１を係止できると共に、着脱部３６によって係止を解除できるようになっている。また、基台４３の上端部４３ａの外形は本体ケーシング４１の上端開口とほぼ同じ形状をしており、外周部にリング状をした弾性を有する第１防水部材４６が嵌め込まれている。さらに基台４３の上端部４３ａの中央にモータ４２の出力軸４２ａが貫通する開口４７が設けられていると共に、開口４７内に断面М字状をした第２防水部材４８が嵌め込まれており、外部からの水がモータ４２側に入るのを防止するようになっている。なお、図２中の４９はプラグ端子ピン、５０はプラグ基台、５１は電池端子Ｏリングであり、図３、図４中の５２は防水ねじ用Ｏリング、５３はフィルター、５４はスイッチＯリング、５５はランプカバーである。
脱毛ユニット１は、脱毛手段を駆動して毛を引き抜く２つの円筒状の回転シリンダー４を一体に備えた脱毛ヘッド１Ｈと、モータの回転出力を回転シリンダー４に伝達するための駆動伝達用の歯車列８ａ〜８ｇと、本体ケーシング４１に着脱自在に取り付けられる本体側取付部７とで構成される。
脱毛ヘッド１Ｈには、図４に示すように、２つの回転シリンダー４に対して１つの揺動支点３が設けられ、脱毛ヘッド１Ｈが揺動支点３を中心として揺動可能に保持されている。本例では脱毛ヘッド１Ｈの揺動支点３は、２つの回転シリンダー４の中間位置に配置されており、２つの回転シリンダー４が常に肌面６（図４）と密着するように揺動する構造となっている。また本例では、回転シリンダー４の回転駆動は本体ケーシング４１内のモータの回転で行われる。つまり、モータで発生した回転運動は、図２に示す歯車列８ａ〜８ｇを介して、２つの回転シリンダー４に各々伝達される。
【００１１】
また、本例では、図４に示すように、脱毛ヘッド１Ｈの下端面を本体側取付部７側に向けて弧状に突曲した凸曲面１３とし、本体側取付部７の上端面を凸曲面１３が嵌まり込む凹曲面１４とし、凸曲面１３と凹曲面１４とを摺動自在に突き合わせた状態で、本体側取付部７の左右一対の保持片６０に対して脱毛ヘッド１Ｈの揺動支点３が軸支されており、これにより、脱毛ヘッド１Ｈは揺動支点３を中心として本体側取付部７に対して図４の矢印Ａで示す方向に揺動自在に保持されている。さらに凸曲面１３と凹曲面１４との対向面には、脱毛ヘッド１Ｈを揺動方向Ｂにおける所定位置（本実施形態では中央位置）に向かってバネ付勢するためのコイルバネ１１（図２）が配置されている。これにより、図４に示すように、２つの回転シリンダー４が回転した状態で、脱毛ヘッド１Ｈを肌面６に押し付けると、肌の凹凸に合わせて脱毛ヘッド１Ｈが１つの揺動支点３を中心として揺動できると共に、脱毛ヘッド１Ｈと一緒に脱毛爪も揺動するので、２つの回転シリンダー４によって多数の毛を効率良く引き抜くことができると共に、脱毛ヘッド１Ｈ全体が肌の凹凸に合わせて揺動しても複数の回転シリンダー４による脱毛位置が変化することがないので、刺激が少なく肌を傷めてしまうことがないだけでなく、毛を狭持する位置が肌に近いところとなるため、脱毛爪が毛の根元を掴んで連続的に脱毛する動作が可能となり、特に短い毛を挟持して抜くことが容易となり、脱毛刺激を低減できるようになっている。
ここで本発明においては、脱毛ヘッド１Ｈには、脱毛手段を囲むようにしてヘッドフレーム５が設けられている。ヘッドフレーム５は、大略筒状に形成されていると共に、図５、図６に示すように、上開口から回転シリンダー４の上側を露出させる内側のフレーム５Ａと、ワイパー２を備えた外側のフレーム５Ｂとで構成されている。
内側のフレーム５Ａの上開口にはワイヤー２２が跨ぐようにして配設されている。ワイヤー２２は、左右方向（回転シリンダー４の回転軸方向）に沿わせて複数本設けてあり、回転シリンダー４の回転動作の妨げにならないようになっている。各ワイヤー２２は弾性材料からなり、脱毛しようとして回転シリンダー４を肌に押し付けた際、弾性を有するワイヤー２２が撓んで肌と回転シリンダー４とで挟まれて、ワイヤー２２が介在する部分では肌と回転シリンダー４の外部露出面とはワイヤー２２の径だけ離れた状態となる。従って、肌と回転シリンダー４の外部露出面とが直接接触しないため、肌を傷つけることもなくなる。ワイヤーの中央の凹み部分にはコーム１０が架設されており、コーム１０が肌に当たることで回転シリンダー４の肌に対する滑りを一層良くしている。
内側のフレーム５Ａの上部の左右両側には嵌合用スリット２８が設けられ、このフレーム５Ａの下部の前後両側にはそれぞれ左右複数のフレーム着脱用凸部２３が設けられている。一方、外側のフレーム５Ｂの上部の左右両側には嵌合用桟２４が設けられ、このフレーム５Ｂの下部の前後両側にはそれぞれ左右複数のフレーム着脱用凹部２５が設けられている。内側のフレーム５Ａを外側のフレーム５Ｂに嵌め合わせると、図５に示すように、外側のフレーム５Ｂの嵌合用桟２４が内側のフレーム５Ａの嵌合用スリット２８に嵌合し、且つ、外側のフレーム５Ｂのフレーム着脱用凸部２３が内側のフレーム５Ａのフレーム着脱用凹部２５に嵌合した状態となり、内側のフレーム５Ａが外側のフレーム５Ｂに対して着脱可能に取り付けられる。
上記外側のフレーム５Ｂの前面側Ｆ（或いは背面側Ｄでもよい）には、脱毛後の肌に付着した泡を拭き取るためのワイパー２が設けられている。本例のワイパー２は、脱毛ヘッド１Ｈを肌に当てた状態で肌と略平行に延びるプレート形状に形成されていると共に、図１に示すように、ワイパー２の上端縁が脱毛ヘッド１Ｈと略同じ幅、略同じ高さ位置に配置されている。ワイパー２の材質は例えばエラストマーからなる。その一例として、スチレン系エラストマー、オレフィン系エラストマーが好適である。勿論、ワイパー２の材質はエラストマーに限定されるものではなく、それ以外に、例えば、天然ゴム、軟質発泡体等であってもよい。
しかして、石鹸を使って脱毛する際に、図４の矢印イで示す方向に向けて脱毛ヘッド１Ｈを動かすとワイパー２も後から追随して動くため、回転シリンダー４の回転により石鹸の泡が広がっても、脱毛と同時に肌面６に付着した泡がワイパー２によって拭き取られていく。従って、脱毛後の肌面６が泡で隠されることがなくなるため、抜き残した毛が一目で分かるようになる。また石鹸を使うことで肌面６と回転シリンダー４との間の摩擦も少なくなるため、肌面６に安全且つスムーズな脱毛行為ができる。しかも本例のワイパー２はプレート形状であるので、脱毛領域の泡を漏れなく拭き取ることができ、抜き残した毛がより一層分かりやすくなる。しかも本例のワイパー２はエラストマー製であるので、ワイパー２による刺激をなくして肌面６を傷めてしまうのを防止できると共に、骨部のような凸部に対してもワイパー２の追従性を十分に良くすることができるようになる。
また本例のワイパー２は、本体ケーシング４１の背面側Ｄ（前面側Ｆでもよい）に設けられるので、本体ケーシング４１の前面と背面とを指で掴みながら、図４に示すように、本体ケーシング４１の前面側Ｆを前にして脱毛ヘッド１Ｈを動かしていくことにより、脱毛ヘッド１Ｈで脱毛した後の肌面６に付着している泡をワイパー２で確実に拭き取ることができるようになり、使い勝手が一層良くなる。
【００１２】
さらに本例では、図６のように内側のフレーム５Ａに対してワイパー２を有する外側のフレーム５Ｂを着脱自在に取り付けているので、ワイパー２が劣化したときの交換作業も容易に行なえるようになる。
【００１３】
さらに上記ワイパー２及びヘッドフレーム５は、本体ケーシング４１に対して着脱自在となっている。本例では図７に示す脱毛ユニット１の左側の側面に釦部７０が設けられ、この釦部７０を押すと脱毛ユニット１側のフック（図示せず）がヘッドフレーム５から外れてヘッドフレーム５をワイパー２と共に取り外すことができるようになっている。これによりワイパー２やヘッドフレーム５に付着した毛屑、或いは、脱毛ヘッド１Ｈ内の回転シリンダー４内に入り込んだ毛屑をそれぞれ簡単に取り除くことができ、掃除を簡単に行なうことができる。
図８は、ワイパー２をヘッドフレーム５に対して肌と略垂直な方向に高さ調整可能とした場合の一例を示す。高さ調整以外の他の構成は図５、図６の実施形態と同様であり、対応する部分には同一符号を付しておく。本例では、ワイパー２を有する昇降板３３が外側のフレーム５Ｂに対して上下方向にスライド自在とされ且つ昇降板３３の左右下端にそれぞれ設けた一対の弾性を有するフック３２が、外側のフレーム５Ｂの左右対称に設けた上下複数段の係止突起３１のいずれかに係止するようになっている。昇降板３３の外面に設けた高さ切り替え釦２９はフレーム５Ｂに設けた横穴３０から外部に突出させてあり、使用者が指で高さ切り替え釦２９を上向きにスライドさせると、フック３２が上下複数段の係止突起３１を下から上に順に係止していくようになり、逆に高さ切り替え釦２９を下向きにスライドさせると、フック３２は上から下に順に係止していき、ワイパー２の高さを調整できる。なお図８の例ではフレーム５Ｂの前後両側にそれぞれワイパー２を設けた場合（後述する図１０と対応）を例示しているが、もちろんこれに限らず、前後いずれか一方のみにワイパー２を設けた場合（図１〜図７と対応）としてもよい。しかして、高さ切り替え釦２９の操作だけでワイパー２の高さを切り替えることができるので、石鹸を使用する場合はワイパー２を上げて肌に当たる位置に保持することができる。このときワイパー２の上下調整によってワイパー２の肌への押し付け荷重が容易に調整でき、刺激をより少なくできるだけでなく、ワイパー２の肌への適度な押し付け荷重によって、ワイパー２で肌を伸ばしながら脱毛することが可能となる。一方、石鹸を使用しないで使用するときには、ワイパー２を下げて肌に当たらない位置に保持できるので、乾燥状態での脱毛にも容易に対応できるようになり、使い勝手が一層良くなる。
【００１４】
図９は上記ワイパー２を肌に対してフロート自在とした場合の一例を示している。他の構成は図５、図６の実施形態と同様であり、対応する部分には同一符号を付しておく。本例では、ワイパー２を有する昇降板３３が外側のフレーム５Ｂの内面に突設した抜け止め用フック３０により抜け止めされた状態でフレーム５Ｂの内面に沿って上下方向にスライド自在に支持されていると共に、昇降板３３の左右両下端に設けた脚部３３ａがフロートバネ３９を介してフレーム５Ｂの内面に突設した突起３７ａ付きバネ受け部３７にて支持されている。しかして、ワイパー２を有する昇降板３３はフロートバネ３９によって肌に接離する方向にフロート自在となるので、ワイパー２が肌に強く当たることがなくなり、ワイパー２による刺激をなくすことができる。さらに本例では、フロートバネ３７によってワイパー２が肌に対して略垂直方向に変形自在となるので、肌の凹凸や骨部のような凸部に対してもワイパー２の追従性がきわめて良くなり、肌のどの部分においても泡を確実に拭き取ることができるものである。
図１０は、本体ケーシング４１の前面側Ｆと背面側Ｄの両方にワイパー２を設けた場合の一例を示している。この場合、本体ケーシング４１を前面側Ｆと背面側Ｄのどちらの方向に移動させてもワイパー２による拭き取り効果が得られる。なお本例では本体ケーシング４１内に石鹸水を溜めるタンクを内蔵して脱毛ヘッド１Ｈに石鹸水を供給する方式とするのが望ましい。
【図面の簡単な説明】
【００１５】
【図１】本発明の一実施形態に用いられるワイパーを備えた脱毛装置の斜視図である。
【図２】同上の脱毛装置の正面断面図である。
【図３】同上の脱毛装置の側面断面図である。
【図４】同上の脱毛装置を用いて脱毛を行なう場合の動作を説明する側面図である。
【図５】同上のワイパーを備えたヘッドフレームの斜視図である。
【図６】同上のヘッドフレームの分解斜視図である。
【図７】同上の脱毛ヘッドを着脱する釦を備えた脱毛ユニットの断面図である。
【図８】本発明の他の実施形態の分解斜視図である。
【図９】本発明の更に他の実施形態の分解斜視図である。
【図１０】本発明の更に他の実施形態の斜視図である。
【符号の説明】
【００１６】
１Ｈ  脱毛ヘッド
２    ワイパー
５    ヘッドフレーム
４１  本体ケーシング  
Ｄ    背面側
Ｆ    前面側
【図１】
2007260172.tif 000003
【図２】
2007260172.tif 000004
【図３】
2007260172.tif 000005
【図４】
2007260172.tif 000006
【図５】
2007260172.tif 000007
【図６】
2007260172.tif 000008
【図７】
2007260172.tif 000009
【図８】
2007260172.tif 000010
【図９】
2007260172.tif 000011
【図１０】
2007260172.tif 000012